(57)【要約】      （修正有）【課題】釣りの状況が悪いときには魚のアタリを感度良く感知することができ、普通の釣りもできるリールシートを提供する。【解決手段】リールシート１０は、リールシート本体１２と、接続ヘッド３０と、接続機構５０を有する。リールシート本体１２は、リールフット６２を着脱可能に装着する。接続ヘッド３０は、ロッド７０をリールシート本体１２に対して略平行に支持するヘッド部３２Ａと屈曲部３２Ｂにより構成される。魚のアタリを積極的に感知したいときは、ロッドブランク７２をリールシート本体１２と一緒に握れるようにロッド７０を装着する。このとき、リールシート本体１２の端部の緩衝材２８がロッド７０に接触するため、ロッド７０を傷めない。普通に釣りをする場合は、ロッド７０とリール６０の装着方向を逆向きにし、接続ヘッド３０がリールシート本体１２の着座面１４側に向くように調整する。【選択図】図１
0003187639.tif 000002
【実用新案登録請求の範囲】
【請求項１】
リール及びロッドが装着されるリールシートであって、
リールのリールフットが着脱可能に固定されるリールシート本体，
該リールシート本体に対して略平行となるようにロッドを着脱可能かつ貫通可能に支持するヘッド部と、前記リールシート本体の一端側に接続されており、前記リールシート本体に対して屈曲した屈曲部とからなる接続ヘッド，
該接続ヘッドを、前記リールシート本体に対して回転可能に接続するための接続機構，
を有することを特徴とするリールシート。
【請求項２】
前記リールシート本体と前記ロッドを一緒に握ったときに、前記リールフットを固定するための固定具が前記ロッドに接触せず、前記リールシートの他端側が必ずロッドに接触する形状又は寸法に形成されており、
前記リールシートの他端側の前記ロッドとの接触部分に設けられた緩衝材，
を有することを特徴とする請求項１に記載のリールシート。
【請求項３】
前記接続機構は、
前記リールシート本体の一端側に形成されたネジ穴と、
前記接続ヘッドの屈曲部の一端側に形成された貫通孔と、
前記貫通孔を貫通して前記ネジ穴に螺合するネジ部と、前記貫通孔を貫通しない頭部からなるボルト部材と、
により構成されることを特徴とする請求項１又は２記載のリールシート。
【請求項４】
前記リールが、スピニングリール又はベイトリールであることを特徴とする請求項１〜３のいずれか一項に記載のリールシート。
【考案の詳細な説明】
【技術分野】
【０００１】
本考案は、リールシートに関し、更に具体的には、魚のアタリを感知できるリールシートの改良に関するものである。
【背景技術】
【０００２】
従来のロッドは、リールを装着するためのリールシートが、ロッドブランクに被さるように成形されていた。このため、魚のアタリがあっても、ロッドブランクに伝わってくる振動は、リールシートに干渉されてしまう、釣り人の手に伝わりにくいという課題があった。これに対し、例えば、下記特許文献１には、魚のアタリを感知するための「魚信感知握り柄付き釣竿」が開示されている。当該技術によれば、竿の基端又は柄から、竿に対して離隔して平行に魚信感知握り柄が設けられており、前記柄の外側又は前記魚信感知握り柄の外側に、リール脚固定装置が設けられている。この構成によれば、魚がかかった時には、竿の振動が阻害されることなく直接に手元に伝達されるため、魚信を感知できることとなっている。
【先行技術文献】
【特許文献】
【０００３】
【特許文献１】特開平１０−１４６１４２号公報
【考案の概要】
【考案が解決しようとする課題】
【０００４】
しかしながら、上述した背景技術では、必ずロッドと竿を一緒に握ることになるため、積極的に魚信の感知をせずに普通に釣りを楽しみたい時に対応することができない。従って、魚のアタリを感知することができ、かつ、普通の釣り（魚のアタリを積極的に感知しない従来通りの釣り）をしたい時にも対応できるように、使い分け可能なリールシートがあれば、複数の種類のリールシートを用意せずに済むため都合がよい。
【０００５】
本考案は、以上のような点に着目したもので、釣りの状況が悪い時などに、魚のアタリを感度良く感知することができ、かつ、普通の釣りもできるリールシートを提供することを、その目的とする。
【課題を解決するための手段】
【０００６】
本考案は、リール及びロッドが装着されるリールシートであって、リールのリールフットが着脱可能に固定されるリールシート本体，該リールシート本体に対して略平行となるようにロッドを着脱可能かつ貫通可能に支持するヘッド部と、前記リールシート本体の一端側に接続されており、前記リールシート本体に対して屈曲した屈曲部とからなる接続ヘッド，該接続ヘッドを、前記リールシート本体に対して回転可能に接続するための接続機構，を有することを特徴とする。
【０００７】
主要な形態の一つは、前記リールシート本体と前記ロッドを一緒に握ったときに、前記リールフットを固定するための固定具が前記ロッドに接触せず、前記リールシートの他端側が必ずロッドに接触する形状又は寸法に形成されており、前記リールシートの他端側の前記ロッドとの接触部分に設けられた緩衝材，を有することを特徴とする。他の形態は、前記接続機構は、前記リールシート本体の一端側に形成されたネジ穴と、前記接続ヘッドの屈曲部の一端側に形成された貫通孔と、前記貫通孔を貫通して前記ネジ穴に螺合するネジ部と、前記貫通孔を貫通しない頭部からなるボルト部材と、により構成されることを特徴とする。更に他の形態は、前記リールが、スピニングリール又はベイトリールであることを特徴とする。本考案の前記及び他の目的，特徴，利点は、以下の詳細な説明及び添付図面から明瞭になろう。
【考案の効果】
【０００８】
本考案によれば、リールフットが着脱可能に固定されるリールシート本体と、該リールシート本体に対して略平行となるようにロッドを着脱可能かつ貫通可能に支持するヘッド部と、前記リールシート本体の一端側に接続されており、前記リールシート本体に対して屈曲した屈曲部とからなる接続ヘッドによりリールシートを構成する。このため、リールシート本体と、略平行に支持されたロッドブランクを一緒に握ることで、釣りの状況が悪いときでも魚のアタリを感度よく感知できる。また、前記接続ヘッドを、前記リールシート本体に対して回転可能に接続するための接続機構を設けることとした。このため、ロッド及びリールの装着方向を逆向きに替え、更に、接続ヘッドを回転させることで、ラインとガイドとの摩擦抵抗を低減できるため、普通の釣りをする場合にも使用できる。
【図面の簡単な説明】
【０００９】
【図１】本考案の実施例１を示す図であり、(A)は全体構成を示す外観斜視図，(B)は本実施例の内部構造を示す図，(C)はロッド及びリールの付け替え前後の様子を示す図である。
【図２】前記実施例１を示す図であり、(A)は魚のアタリを感知するための使用状態を示す図，(B)は前記(A)を矢印Ｆ２方向から見た正面図である。
【図３】前記実施例１を示す図であり、(A)は普通の釣りをする場合の使用状態を示す図，(B)は前記(A)を矢印Ｆ３方向から見た正面図である。
【図４】本考案の実施例２を示す図であり、魚のアタリを感知するための使用状態を示す図である。
【考案を実施するための形態】
【００１０】
以下、本考案を実施するための最良の形態を、実施例に基づいて詳細に説明する。
【実施例１】
【００１１】
最初に、図１〜図３を参照しながら、本考案の実施例１を説明する。図１は、本実施例の全体構成を示す外観斜視図，(B)は本実施例の内部構造を示す図，(C)はロッド及びリールの付け替え前後の様子を示す図である。図２(A)は、魚のアタリを感知するための使用状態を示す図，図２(B)は前記(A)を矢印Ｆ２方向から見た正面図である。図３(A)は、普通の釣りをする場合の使用状態を示す図，図３(B)は前記(A)を矢印Ｆ３方向から見た正面図である。本考案のリールシートは、リールとロッドが着脱可能に装着されるものである。本実施例では、前記リールとしてスピニングリール６０を例に挙げて説明しているが、他のリールにも本考案は適用可能である。
【００１２】
図１(A)に示すように、本実施例のリールシート１０は、スピニングリール６０のリールフット６２が着脱可能に固定されるリールシート本体１２と、該リールシート１２に接続される接続ヘッド３０と、前記リールシート本体１２に対して接続ヘッド３０を回転可能に接続する接続機構５０により構成されている。リールシート本体１２の略中央部には、リールフット６２の台座６４の着座面１４が設けられている。該着座面１４の一端側には、前記台座６４の一方の端部６４Ａを支持するための隙間を有する固定フード１６が形成されており、着座面１４の他端側には、前記台座６４の他方の端部６４Ｂを支持するための可動フード１８が設けられている。
【００１３】
可動フード１８は、図１(B)に示すように、前記リールシート本体１２に外嵌されるリング２０とナット部材２２により構成されている。前記リング２０は、前記台座６４の端部６４Ｂをリールシート本体１２との間に挟み込むことができる隙間を有している。また、ナット部材２２は、その内周面にネジ部２４を有しており、リールシート本体１２の一端側（図１(A)及び(B)における左端側）の外面に形成されたネジ部２６と螺合する。このような可動フード１８は、例えば、金属により形成されている。スピニングリール６０をリールシート１０に取り付けるには、まず、可動フード１８をリールシート本体１２の端（図１(B)の左側）に寄せておく。そして、リールフット６２の台座６４の端部６４Ａを固定フード１６の隙間に差し込み、その状態で可動フード１８のリング２０を移動させて隙間を端部６４Ｂに嵌め、更に、ナット部材２２を回転させてリング２０側に移動し、リング２０をその位置で固定する。これにより、スピニングリール６０がリールシート１０に装着される。
【００１４】
また、前記リールシート本体１２の端部には、図１(B)及び図２(A)に示すように、緩衝材２８が設けられている。該緩衝材２８は、金属製の可動フード１８がロッド７０に接触して該ロッド７０を傷めることがないように設けられるものである。従って、前記緩衝材２８は、リールシート本体１２とロッド７０を一緒に握り、ロッド７０が若干たわんだ状態であっても、前記可動フード１８がロッド７０に接触せず、必ず緩衝材２８がロッド７０に接触するような形状，寸法に形成されている。前記緩衝材２８としては、例えば、ＥＶＡスポンジ等が用いられる。
【００１５】
次に、接続ヘッド３０は、図１(B)に示すように、ヘッド部３２Ａと、屈曲部３２Ｂと、位置決めリング３８と、接続キャップ４２により構成されている。前記ヘッド部３２Ａは、前記リールシート本体１２に対して略平行となるように、ロッド７０を着脱可能かつ貫通可能に支持するもので、図１(B)に示すように貫通孔３４を備えている。該貫通孔３４の一端側には、径が若干大きい拡径部３６が形成されている。また、ヘッド部３２Ａの一端側の外周面には、ネジ部４０が形成されている。前記屈曲部３２Ｂは、前記リールシート本体１２の一端側に接続されるもので、前記リールシート本体１２に対して屈曲した形状に形成されている。
【００１６】
また、前記接続キャップ４２は、一端側に前記ロッド７０が貫通する貫通孔４４が形成されており、他端側に開口部４６が形成されている。そして、前記開口部４６側の内周面には、前記ヘッド部３２Ａのネジ部４０と螺合するネジ部４８が形成されている。前記ロッド７０の所望の位置に、軸方向にスリット３８Ａが形成された筒状の位置決めリング３８を取り付け、ヘッド部３２Ａの拡径部３６側からロッド７０を挿入すると、位置決めリング３８はヘッド部３２Ａの貫通孔３４を通らないので、位置が決まる。そして、その状態で、接続キャップ４２を被せて回転させ、接続キャップ４２のネジ部４８と、ヘッド部３２Ａのネジ部４０を螺合すると、接続キャップ４２の貫通孔４４に位置決めリング３８の他端がぶつかるところまで接続キャップ４２が移動し、ロッド７０が固定される。
【００１７】
前記リールシート本体１２と接続ヘッド３０は、接続機構５０により接続されている。接続機構５０は、図１(B)に示すように、リールシート本体１２の一端側に形成されたネジ穴５２と、前記接続ヘッド３２の屈曲部３２Ｂの一端側に形成された貫通孔５４と、ボルト部材５６により構成されている。前記ボルト部材５６は、前記貫通孔５４を貫通して前記ネジ穴５２に螺合するネジ部５６Ａと、前記貫通孔５４を貫通しない頭部５６Ｂを有している。
【００１８】
以上のようなリールシート１０は、魚のアタリを感知しやすいように使用できるため、特に釣りの状況が悪いときに有効である。釣りの状況が悪い時とは、例えば、急激な水温低下、悪天候、釣り人が多くプレッシャーが高い場所、季節が悪い等、魚が積極的に餌を食べない時などがある。このような場合に、魚のアタリを感知するためには、前記接続機構５０のボルト部材５６を緩めて、接続ヘッド３０が、リールフット６２の着座面１４と反対側にくるように回転させ、その状態でボルト部材５６を締めることで、位置を固定する（図１(A)，図２(A)及び(B)の状態）。そして、この状態で、上述したようにスピニングリール６０とロッド７０を装着する。ロッド７０は、図２(A)に示すように、リールシート１０を握るときに、ロッドブランク７２も共に握れるように、接続ヘッド３０側をリールシート１０の後端側としたときに、後端側が短く、前端側が長くなるように取り付ける。この状態で魚のアタリがあると、ロッドブランク７２に直に触れているため、感度よく当たりを感知できる。
【００１９】
また、本考案のリールシート１０は、上述したように魚のアタリを高感度で感知するような使い方のみならず、普通の釣りをするために使用することができる。このためには、まず、ロッド７０とスピニングリール６０の装着方向を替える。すなわち、リールシート１０とともにロッドブランク７２を握る必要がないので、接続ヘッド３０から露出する部分のうち、リールシート本体１２側を短くし、その反対側が長くなるように装着する（図３(A)参照）。また、ロッド７０の向きを替えただけでは、ライン７４をリール６０に巻き取るときの手が反対側になってしまうため、可動フード１８を緩めて、リールフット６２の台座６４の取り付け方向を逆にする。図１(A)の例で端部６４Ａを固定フード１６に差し込んでいたのであれば、端部６４Ｂを固定フード１６に差し込み、他方の端部６４Ａ側を可動フード１８で押さえるという具合である。
【００２０】
以上のようにロッド７０とスピニングリール６０の装着方向を変えたのみの状態が、図１(C)に実線で示されている（位置ＰＡ）。この状態では、図１(C)の位置ＰＡに示すように、ガイド７６とスプール６６の間隔ＩＡが広くなる。従って、ガイド７６からスプール６６までのライン７４が、ロッド７０の軸方向に対してなす角度が大きくなり、ガイド７６とライン７４の摩擦抵抗が大きくなり、投げるときにライン７４が伸びにくく、ルアーが遠くへ飛びにくくなってしまう。
【００２１】
そこで、本考案では、前記接続機構５０を利用することにより、ガイド７６とスプール６６の間隔を狭くする。すなわち、図１(C)の実線に示す状態から、接続機構５０のボルト部材５６を緩め、図３(B)に示すように接続ヘッド３０がリールシート１０の着座面１４側にくるように回転させ、この状態（図１(C)の位置ＰＢの状態）でボルト部材５６を締めて固定する。すると、図３(A)及び(B)に示す状態となり、ガイド７６とスプール６６の間隔ＩＢが、前記図１(C)の実線で示す状態の場合の間隔ＩＡよりも狭くなる。このため、位置ＰＢの状態では、ガイド７６からスプール６６までのライン７４が、前記ロッド７０の軸方向に対してなす角度が小さくなり、ガイド７６とライン７４の摩擦抵抗が小さくなる。従って、投げるときにライン７４が伸びやすく、ルアーを遠くに飛ばすことができるため、普通の釣りを楽しむことができる。
【００２２】
このように、実施例１によれば、次のような効果がある。
(1)リールフット６２が着脱可能に固定されるリールシート本体１２と、該リールシート本体１２に対して略平行となるようにロッド７０を着脱可能かつ貫通可能に支持するヘッド部３２Ａと、前記リールシート本体の一端側に接続されており、前記リールシート本体に対して屈曲した屈曲部３２Ｂとからなる接続ヘッド３０によりリールシート１０を構成する。このため、リールシート本体１２と、略平行に支持されたロッドブランク７２を一緒に握ることができ、魚のアタリを感度よく感知できる。
(2)リールシート本体１２の端部に緩衝材２８を設け、リールシート本体１２とロッド７０と一緒に握ったときに、可動フード１８がロッド７０に接触せず、必ず緩衝材２８がロッド７０に当たるように寸法、形状を設定した。このため、可動フード１８が金属製であっても、ロッド１８に当たって傷めることがない。
(3)また、前記接続ヘッド３０を、前記リールシート本体１２に対して回転可能に接続するための接続機構５０を設けることとした。このため、ロッド７０及びスピニングリール６０の装着方向を替えるのみならず、接続ヘッド３０を回転させることで、ガイド７６とスプール６６の間隔を縮めることができるので、ガイド７６とライン７４の摩擦抵抗が低減されるため、ルアーを飛ばすときに妨げにならず、普通の釣りを楽しむことができる。
【実施例２】
【００２３】
次に、図４を参照しながら本考案の実施例２を説明する、なお、上述した実施例１と同一ないし対応する構成要素には同一の符号を用いることとする。上述した実施例１は、本考案をスピニングリールに適用したものであるが、本実施例は、ベイトリール８０に適用した例であり、魚のアタリを感知するための形態における使用状態が示されている。図４に示すように、ベイトリール８０の場合には、リールフットが短く、ベイトリール８０をロッド７０の上側に取り付けて使用するが、その他の部分については、基本的には、前記実施例１と同様の構成となっている。すなわち、図４に示す状態で使用すれば、ロッドブランク７２に直接触れながらリールシート本体１２を握ることになり、魚のアタリを感度よく感知できる。なお、本実施例においても、前記実施例１と同様に、ベイトリール８０とロッド７０の装着方向を逆向きに付け替えて使用することを妨げるものではない。
【００２４】
なお、本考案は、上述した実施例に限定されるものではなく、本考案の要旨を逸脱しない範囲内において種々変更を加え得ることができる。例えば、以下のものも含まれる。
(1)前記実施例で示した形状，寸法は一例であり、同様の効果を奏する範囲内において、適宜設計変更可能である。リールシート１０を構成する材料や緩衝材２８の素材も、公知の各種の材料を用いてよい。
(2)前記実施例１で示したリールの装着方法，ロッドの装着方法は一例であり、同様の効果を奏する範囲内において適宜設計変更可能である。
(3)前記実施例では、本考案をスピニングリール６０又はベイトリール８０に適用することとしたが、これらに限定されるものではなく、公知の各種のリールを装着する場合に、本考案は適用可能である。
(4)前記実施例では、釣りの状況が悪いとき（悪天候の時など）に魚のアタリを積極的に感知する使い方をすることとしたが、これも一例であり、釣りの状況が良好なときであっても、魚のアタリを感知するための使い方をしてもよい。
【産業上の利用可能性】
【００２５】
本考案によれば、リールフットが着脱可能に固定されるリールシート本体と、該リールシート本体に対して略平行となるようにロッドを着脱可能かつ貫通可能に支持するヘッド部と、前記リールシート本体の一端側に接続されており、前記リールシート本体に対して屈曲した屈曲部とからなる接続ヘッドと、前記接続ヘッドを、前記リールシート本体に対して回転可能に接続するための接続機構を有する。このため、リールシート本体とロッドブランクを一緒に握って魚のアタリを感度よく感知する使用状態と、ロッド及びリールの装着方向を替えて普通の釣りをする状態との使い分けが可能となるので、リールシートの用途に適用できる。
【符号の説明】
【００２６】
１０：リールシート
１２：リールシート本体
１４：着座面
１６：固定フード
１８：可動フード
２０：リング
２２：ナット部材
２４，２６：ネジ部
３０：接続ヘッド
３２Ａ：ヘッド部
３２Ｂ：屈曲部
３４：貫通孔
３６：拡径部
３８：位置決めリング
３８Ａ：スリット
４０：ネジ部
４２：接続キャップ
４４：貫通孔
４６：開口部
４８：ネジ部
５０：接続機構
５２：ネジ穴
５４：貫通孔
５６：ボルト部材
５６Ａ：ネジ部
５６Ｂ：頭部
６０：スピニングリール
６２：リールフット
６４：台座
６４Ａ，６４Ｂ：端部
６６：スプール
７０：ロッド
７２：ロッドブランク
７４：ライン
７６：ガイド
８０：ベイトリール
【図１】
0003187639.tif 000003
【図２】
0003187639.tif 000004
【図３】
0003187639.tif 000005
【図４】
0003187639.tif 000006